(57)【要約】【課題】カルテの収納および取り出しを容易に行うことができるようにする。【解決手段】カルテの取り出し時、ホストコンピュータ１は、カードリーダライタ２が磁気カード６から読み取った患者ＩＤに対応するカルテの保管棚１０の棚番号を特定し、制御装置４を制御してその棚番号の棚の発光機器を点灯させる。カルテに貼付されたＲＦＩＤラベル８との交信結果によりカルテが取り出されたことが判明したとき、発光機器を消灯させる。カルテの収納時、ホストコンピュータ１は、患者ＩＤに対応するカルテの保管棚１０の棚番号を特定し、制御装置４を制御してその棚番号の棚の発光機器を点灯させる。カルテに貼付されたＲＦＩＤラベル８との交信結果によりカルテが収納されたことが判明したとき、発光機器を消灯させる。【選択図】図１
2005234711.tif 000002
【特許請求の範囲】
【請求項１】
仕切板と棚板によって区切られた複数の収納区画からなり、各患者のカルテを収納する保管棚と、ＲＦＩＤラベルを発行するＲＦＩＤラベル発行装置と、前記ＲＦＩＤラベルが貼付された前記カルテの前記保管棚への収納および取り出しを管理する管理装置とからなるカルテ管理システムであって、
前記保管棚は、
各収納区画毎に設けられた発光機器と、
前記仕切板の少なくともいずれか１つに設けられ、前記ＲＦＩＤラベルから前記患者を識別するための識別情報を読み出す読み出し手段とを備え、
前記ＲＦＩＤラベル発行装置は、
少なくとも前記識別情報を前記ＲＦＩＤラベルに記録する記録手段を備え、
前記管理装置は、
前記識別情報を入力する入力手段と、
前記入力手段によって入力された前記識別情報に基づいて、前記識別情報に対応する前記患者の前記カルテが収納されるべき前記収納区画を特定する特定手段と、
前記特定手段によって特定された前記収納区画に収納されている前記カルテに貼付された前記ＲＦＩＤラベルから前記読み出し手段によって読み出された前記識別情報に基づいて、前記カルテが前記収納区画に収納されているか否かを判断する判断手段と、
前記判断手段の判断結果に応じて前記保管棚の前記収納区画に対応する前記発光機器の点灯および消灯を制御する発光機器制御手段とを備える
ことを特徴とするカルテ管理システム。
【請求項２】
前記カルテの収納時に、前記入力手段によって入力された前記識別情報に基づいて、前記特定手段により前記カルテが収納されるべき収納区画が特定され、前記発光機器制御手段は、前記特定手段によって特定された前記収納区画の前記発光機器を点灯させ、前記収納区画に前記カルテが収納されたことが前記判断手段によって判断されたとき、前記発光機器制御手段は、前記収納区画の前記発光機器を消灯させ、
前記カルテの取り出し時に、前記入力手段によって入力された前記識別情報に基づいて、前記特定手段により前記カルテが収納されている前記収納区画が特定され、前記発光機器制御手段は、前記特定手段によって特定された前記収納区画の前記発光機器を点灯させ、前記収納区画から前記カルテが取り出されたことが前記判断手段によって判断されたとき、前記発光機器制御手段は、前記収納区画の前記発光機器を消灯させる
ことを特徴とする請求項１記載のカルテ管理システム。
【発明の詳細な説明】
【技術分野】
【０００１】
本発明は、カルテ管理システムに関し、特に、カルテの保管場所からの取り出しおよび収納を管理するカルテ管理システムに関する。
【背景技術】
【０００２】
従来、患者の初期登録情報が印刷されたバーコードラベルを書式カルテの所定の場所に貼り付け、このバーコードをバーコード読取装置で読み取り、コンピュータに接続して患者情報と共に表示装置に表示させることによってカルテを管理するものがある（例えば、特許文献１参照）。
【特許文献１】特開２００１−２４９９９９号公報
【発明の開示】
【発明が解決しようとする課題】
【０００３】
しかしながら、特許文献１では、カルテ保管場所からのカルテの取り出しおよび収納を容易に行うことができないという問題があった。
【０００４】
本発明はこのような状況に鑑みてなされたものであり、カルテ保管場所からの取り出しおよび収納を迅速かつ効率的に行うことができるようにするものである。
【課題を解決するための手段】
【０００５】
請求項１に記載のカルテ管理システムは、仕切板と棚板によって区切られた複数の収納区画からなり、各患者のカルテを収納する保管棚と、ＲＦＩＤラベルを発行するＲＦＩＤラベル発行装置と、前記ＲＦＩＤラベルが貼付された前記カルテの前記保管棚への収納および取り出しを管理する管理装置とからなるカルテ管理システムであって、前記保管棚は、各収納区画毎に設けられた発光機器と、前記仕切板の少なくともいずれか１つに設けられ、前記ＲＦＩＤラベルから前記患者を識別するための識別情報を読み出す読み出し手段とを備え、前記ＲＦＩＤラベル発行装置は、少なくとも前記識別情報を前記ＲＦＩＤラベルに記録する記録手段を備え、前記管理装置は、前記識別情報を入力する入力手段と、前記入力手段によって入力された前記識別情報に基づいて、前記識別情報に対応する前記患者の前記カルテが収納されるべき前記収納区画を特定する特定手段と、前記特定手段によって特定された前記収納区画に収納されている前記カルテに貼付された前記ＲＦＩＤラベルから前記読み出し手段によって読み出された前記識別情報に基づいて、前記カルテが前記収納区画に収納されているか否かを判断する判断手段と、前記判断手段の判断結果に応じて前記保管棚の前記収納区画に対応する前記発光機器の点灯および消灯を制御する発光機器制御手段とを備えることを特徴とする。
また、前記カルテの収納時に、前記入力手段によって入力された前記識別情報に基づいて、前記特定手段により前記カルテが収納されるべき収納区画が特定され、前記発光機器制御手段は、前記特定手段によって特定された前記収納区画の前記発光機器を点灯させ、前記収納区画に前記カルテが収納されたことが前記判断手段によって判断されたとき、前記発光機器制御手段は、前記収納区画の前記発光機器を消灯させ、前記カルテの取り出し時に、前記入力手段によって入力された前記識別情報に基づいて、前記特定手段により前記カルテが収納されている前記収納区画が特定され、前記発光機器制御手段は、前記特定手段によって特定された前記収納区画の前記発光機器を点灯させ、前記収納区画から前記カルテが取り出されたことが前記判断手段によって判断されたとき、前記発光機器制御手段は、前記収納区画の前記発光機器を消灯させるようにすることができる。
【発明の効果】
【０００６】
本発明のカルテ管理システムによれば、カルテの保管場所である保管棚からのカルテの取り出しおよび収納を迅速かつ効率的に行うことができる。また、カルテが取り出し中であるか否かを即座に知ることができる。さらに、未収納カルテを把握することができるため、カルテの紛失を抑制することができる。
【発明を実施するための最良の形態】
【０００７】
図１は、本発明のカルテ管理システムの一実施の形態の構成例を示すブロック図である。同図に示すように、本実施の形態は、後述する登録情報およびカルテ管理情報等を記憶し、ＬＡＮ（ｌｏｃａｌ  ａｒｅａ  ｎｅｔｗｏｒｋ）等で接続された各装置を制御する管理装置としてのホストコンピュータ１と、帯状の磁気記録部とロイコ・サーマル・白濁等のリライト可能な面を有する磁気カード（ＭＣカード）６に対して各種情報の記録、印字、および読み取りを行うカードリーダライタ２と、カルテ取出ラベル７、および目視できる情報としてカルテの表面に貼付されるカルテラベル９を印字発行するラベルプリンタ３と、カルテの背表紙の内側に貼り付けられるべきＲＦＩＤ（ｒａｄｉｏ  ｆｒｅｑｕｅｎｃｙ−ｉｄｅｎｔｉｆｉｃａｔｉｏｎ）ラベル８に対して登録情報やその他の各種情報を記録し、読み取るＲＦＩＤプリンタ５と、カルテを収納する保管棚１０と、保管棚１０に設けられた発光機器２１〜２８（図２参照）の点灯および消灯を制御する制御装置４とから構成されている。
【０００８】
ホストコンピュータ１は、ＣＰＵ（ｃｅｎｔｒａｌ  ｐｒｏｃｅｓｓｉｎｇ  ｕｎｉｔ）、ＲＯＭ（ｒｅａｄ  ｏｎｌｙ  ｍｅｍｏｒｙ）、ＲＡＭ（ｒａｎｄｏｍ  ａｃｃｅｓｓ  ｍｅｍｏｒｙ）、記憶部、通信制御部等から構成され、ＬＡＮを介して接続された各部を制御するようになっている。ＲＦＩＤラベル８は、ＩＣ（ｉｎｔｅｇｒａｔｅｄ  ｃｉｒｃｕｉｔ）チップとアンテナを有し、ＩＣチップは、情報を記憶する不揮発性メモリ、通信を制御する通信制御部等から構成されている。また、電波によりＲＦＩＤプリンタ５と交信し、各種データの送受信を行うことができるようになっている。また、後述する保管棚１０の仕切板１１ａ〜１４ａ（１１ａ，１２ａ，１３ａ，１４ａ）に設けられた図示せぬＩＣリーダを介して制御装置４と交信することができるようになっている。さらに、アンテナにより受信したＲＦＩＤプリンタ５からの電波を電力に変換し、ＩＣチップを駆動することができるようになっている。
【０００９】
図２は、保管棚１０の構成例を示している。同図に示すように、保管棚１０は、棚板１５および棚板１６によって上下に区画され、仕切板１１ａ，１２ａ，１３ａ，１４ａによって左右に区画され、収納区画１７〜２０が形成されている。さらに、収納区画１７は、仕切板１１ｂによって棚＃１（棚番号が１の棚）と棚＃２（棚番号が２の棚）に区画され、棚＃１の上部の棚板１５には発光機器２１が設置され、棚＃２の上部の棚板１５には発光機器２２が設置されている。
【００１０】
同様に、収納区画１８は、仕切板１２ｂによって棚＃３（棚番号が３の棚）と棚＃４（棚番号が４の棚）に区画され、棚＃３の上部の棚板１６には発光機器２３が設置され、棚＃４の上部の棚板１６には発光機器２４が設置されている。収納区画１９は、仕切板１３ｂによって棚＃５（棚番号が５の棚）と棚＃６（棚番号が６の棚）に区画され、棚＃５の上部の棚板１５には発光機器２５が設置され、棚＃６の上部の棚板１５には発光機器２６が設置されている。収納区画２０は、仕切板１４ｂによって棚＃７（棚番号が７の棚）と棚＃８（棚番号が８の棚）に区画され、棚＃７の上部の棚板１６には発光機器２７が設置され、棚＃８の上部の棚板１６には発光機器２８が設置されている。仕切板１１ａ，１２ａ，１３ａ，１４ａにはそれぞれＩＣリーダがそれぞれ設けられているが、仕切板１１ｂ，１２ｂ，１３ｂ，１４ｂにはＩＣリーダは設けられていない。
【００１１】
制御装置４は、ホストコンピュータ１からの指令に従って保管棚１０の各発光機器２１〜２８の点灯および消灯を制御するとともに、仕切板１１ａ〜１４ａにそれぞれ設けられた図示せぬＩＣリーダから電波を放射することにより、カルテの背表紙の内側に貼付されたＲＦＩＤラベル８と交信することができるようになっている。また、制御装置４は、ＩＣリーダから電波を放射することにより、ＲＦＩＤラベル８のＩＣチップに電力を供給することができるようになっている。
【００１２】
仕切板１１ａのＩＣリーダから放射される電波によってＲＦＩＤラベル８と交信ができる範囲は、棚＃１と棚＃２である。仕切板１２ａのＩＣリーダから放射される電波によってＲＦＩＤラベル８と交信ができる範囲は、棚＃３と棚＃４である。仕切板１３ａのＩＣリーダから放射される電波によってＲＦＩＤラベル８と交信ができる範囲は、棚＃５と棚＃６である。仕切板１４ａのＩＣリーダから放射される電波によってＲＦＩＤラベル８と交信ができる範囲は、棚＃７と棚＃８である。
【００１３】
次に、本実施の形態の動作について説明する。患者が病院等の受付において初診である旨を伝えると、受付担当者により、新規の診察券としての磁気カード６がカードリーダライタ２に挿入される。磁気カード６に何も情報が記録されていない場合、ホストコンピュータ１は新規登録画面を表示する。次に、受付担当者によりホストコンピュータ１の図示せぬキーボード等の入力機器が操作され、患者の名前、住所、電話番号、生年月日、年齢、性別、血液型等の患者情報が入力される。ホストコンピュータ１は、入力された患者情報および患者情報に対して患者ＩＤを割り当てた登録情報を、カードリーダライタ２とラベルプリンタ３とＲＦＩＤプリンタ５にそれぞれ供給する。
【００１４】
カードリーダライタ２は、ホストコンピュータ１より供給された登録情報を磁気カード６の表面に印字するとともに磁気記録部に患者ＩＤを記録し、診察券として発行する。ラベルプリンタ３は、ホストコンピュータ１から供給された登録情報を受信すると、受信した登録情報をカルテラベル９の表面に印字する。
【００１５】
また、ＲＦＩＤプリンタ５は、ホストコンピュータ１から供給された登録情報を受信すると、受信した登録情報をＩＣチップの不揮発性メモリに記録したＲＦＩＤラベル８を発行する。
【００１６】
次に、新規に発行されたＲＦＩＤラベル８はカルテの背表紙の内側に貼付され、カルテラベル９はカルテを収納した際に目視可能な位置（例えば、カルテの背表紙等）に貼付される。そして、そのカルテを収納する棚の棚番号が設定される。カルテを収納する棚の棚番号は、保管棚１０の空き状況を目視により調べて決定し、手入力により設定してもよいし、ホストコンピュータ１が後述するカルテ管理情報に基づいて空き状況を調べて設定するようにしてもよい。患者ＩＤと棚番号は関連づけられてカルテ管理情報としてホストコンピュータ１の記憶部に記憶される。図３は、ホストコンピュータ１の記憶部に記憶されるカルテ管理情報の例を示している。この例では、カルテ管理情報は、患者の名前、患者ＩＤ、住所、棚番号からなる複数のレコードにより構成されている。
【００１７】
その後、新規に発行された磁気カード６は患者に提供され、ＲＦＩＤラベル８およびカルテラベル９が貼付されたカルテは診察室に運ばれる。患者は診察室において診察を受け、診察結果は医師によってカルテに記録される。診察後、カルテは保管棚１０に収納される。
【００１８】
次に、図４に示したフローチャートを参照して、カルテを保管棚１０に収納する手順について説明する。まず、ステップＳ１において、ホストコンピュータ１のキーボード等を操作して収納すべきカルテのカルテラベル９に印字された患者ＩＤを入力し、カルテを収納すべき棚の棚番号を問い合わせる。次に、ステップＳ２において、ホストコンピュータ１は、記憶部に記憶されているカルテ管理情報（図３）から患者ＩＤをキーにしてその患者ＩＤを含むレコードを検索し、患者ＩＤに対応する棚番号を取得する。例えば、患者ＩＤとして「００２１」が入力されたものとすると、棚番号「３」が取得される。以下では患者ＩＤとして「００２１」が入力されたものとして説明する。
【００１９】
次に、ステップＳ３において、ホストコンピュータ１は、保管棚１０に設けられた発光機器２１〜２８のうち、取得した棚番号に対応するものを点灯させるよう制御装置４に指令する。制御装置４は、ホストコンピュータ１からの指令に基づいて、発光機器２１〜２８のうち、取得した棚番号に対応する発光機器を点灯させる。いまの場合、棚番号は「３」であるので、ホストコンピュータ１は棚＃３の発光機器２３を発光させるよう制御装置４に指令し、制御装置４は発光機器２３を点灯させる。次に、カルテを管理する管理者（医師または看護師）は、発光機器２３が点灯している棚＃３にカルテを収納する。
【００２０】
次に、ステップＳ４において、ホストコンピュータ１は、制御装置４に対して上記カルテが保管棚１０に収納されたか否かを監視するよう指令する。この指令を受けた制御装置４は、仕切板１１ａ〜１４ａのうち上記棚番号に対応するもののＩＣリーダより電波によって制御信号を送信し、ＲＦＩＤラベル８に記憶された患者ＩＤを読み取る。この場合、仕切板１２ａのＩＣリーダより電波によって制御信号を送信し、少なくとも棚＃３を含む棚＃３および棚＃４の範囲のＲＦＩＤラベル８に記憶された患者ＩＤを読み取る。そして、ＩＣリーダによってＲＦＩＤラベル８より読み取られた患者ＩＤをホストコンピュータ１に送信する。
【００２１】
ホストコンピュータ１は、入力された患者ＩＤ「００２１」とＲＦＩＤラベル８から読み取った患者ＩＤを比較し、ＲＦＩＤラベル８から読み取られた患者ＩＤの中に入力された患者ＩＤ「００２１」と一致する患者ＩＤがある場合に患者ＩＤ「００２１」のカルテが棚＃３に収納されたと判断し、ステップＳ５に進む。一方、ＲＦＩＤラベル８から読み取られた患者ＩＤの中に入力された患者ＩＤ「００２１」と一致する患者ＩＤがなかった場合、患者ＩＤ「００２１」のカルテが未だ棚＃３に収納されていないと判断し、ステップＳ４以降の処理が繰り返し実行される。
【００２２】
ステップＳ５においては、ホストコンピュータ１は、制御装置４に対して、発光機器２３を消灯させるよう指令する。この指令を受けた制御装置４は、発光機器２３を消灯させる。その後、本処理を終了する。
【００２３】
次に、図５に示したフローチャートを参照して、再来院した患者のカルテを保管棚１０から取り出す手順について説明する。まず、ステップＳ１１において、患者が持参した磁気カード６をカードリーダライタ２に挿入する。カードリーダライタ２は、磁気カード６の磁気記録部に記録された患者ＩＤを読み出し、ホストコンピュータ１に送信する。
【００２４】
次に、ステップＳ１２において、ホストコンピュータ１は、カードリーダライタ２より送信されてきた患者ＩＤをキーにして、記憶部に記憶されているカルテ管理情報からその患者ＩＤを含むレコードを検索し、その患者ＩＤに対応する棚番号を取得する。いま、例えば、患者ＩＤが「００２１」であるとすると、棚番号「３」が取得される。以下では患者ＩＤが「００２１」であるものとして説明する。
【００２５】
次に、ステップＳ１３において、ホストコンピュータ１により、取得された患者ＩＤに対応するカルテが保管棚１０に収納されているか否かが判定される。まず、取得した棚番号「３」に基づき仕切板１２ａのＩＣリーダにより少なくとも棚＃３を含む範囲である棚＃３および棚＃４に収納されたカルテのＲＦＩＤラベル８に記憶された患者ＩＤを読み取る。そして、ＩＣリーダによってＲＦＩＤラベル８より読み取られた患者ＩＤをホストコンピュータ１に送信する。
【００２６】
ホストコンピュータ１は、ＩＣリーダから送信された制御信号によってＲＦＩＤラベル８より読み取られた複数の患者ＩＤの中に磁気カード６より読み取られた患者ＩＤ「００２１」と一致する患者ＩＤがなかった場合、患者ＩＤ「００２１」のカルテは棚＃３に収納されていないと判断し、ステップＳ１８に進む。ステップＳ１８においては、ホストコンピュータ１は画面にメッセージ「取り出し中」を表示する。その後、本処理を終了する。一方、ＲＦＩＤラベル８より読み取られた患者ＩＤの中に磁気カード６より読み取られた患者ＩＤ「００２１」と一致する患者ＩＤがある場合、患者ＩＤ「００２１」のカルテが棚＃３に収納されていると判断し、ステップＳ１４に進む。
【００２７】
ステップＳ１４においては、ホストコンピュータ１は、発光機器２１〜２８のうち、カルテが収納されている棚の棚番号（この場合「３」）に対応するものを点灯させるよう制御装置４に指令する。制御装置４は、ホストコンピュータ１からの指令に従って、発光機器２１〜２８のうち、カルテが収納されている棚番号に対応するものを点灯させる。いまの場合、発光機器２３を点灯させる。
【００２８】
次に、ステップＳ１５において、ホストコンピュータ１は、患者ＩＤ「００２１」および棚番号「３」からなる印字データをラベルプリンタ３に送信し、カルテ取出ラベル７を発行するよう指令する。ラベルプリンタ３は、ホストコンピュータ１より送信されてきた印字データを印字したカルテ取出ラベル７を発行する。また、カルテ取出ラベル７は図示しない他の印字装置から印字するようにしても良い。看護師は、保管棚１０の点灯している発光機器２３に対応する棚＃３の中から患者ＩＤ「００２１」が印字されたカルテラベル９を捜し出し、捜し出したカルテが、カルテ取出ラベル７に印字された患者ＩＤ「００２１」および棚番号「３」に対応するカルテに間違いないかを確認する。間違いがない場合、看護師はそのカルテを取り出し、診察室に運ぶことになる。
【００２９】
次に、ステップＳ１６において、ホストコンピュータ１は、制御装置４に対して、上記カルテが取り出されたか否かを監視するよう指令する。この指令を受けた制御装置４は、仕切板１１ａ〜１４ａのうち、上記カルテが収納されている棚に対応する仕切板（この例では仕切板１２ａ）のＩＣリーダから電波により制御信号を送信し、少なくとも棚＃３を含む棚＃３および棚＃４の範囲にあるＲＦＩＤラベル８に記憶された患者ＩＤを読み取る。そして、ＩＣリーダによってＲＦＩＤラベル８より読み取られた患者ＩＤをホストコンピュータ１に送信する。
【００３０】
ホストコンピュータ１は、磁気カード６より読み取られた患者ＩＤ「００２１」とＲＦＩＤラベル８から読み取られた複数の患者ＩＤを比較し、ＲＦＩＤラベル８より読み取られた患者ＩＤの中に、磁気カード６より読み取られた患者ＩＤ「００２１」と一致する患者ＩＤがある場合、患者ＩＤ「００２１」のカルテが未だ棚＃３に収納されたままで取り出されていないと判断し、ステップＳ１６の処理が繰り返し実行される。一方、ＲＦＩＤラベル８から読み取られた患者ＩＤの中に、磁気カード６より読み取られた患者ＩＤ「００２１」と一致する患者ＩＤがなかった場合、患者ＩＤ「００２１」のカルテが取り出されたと判断し、ステップＳ１７に進む。ステップＳ１７においては、ホストコンピュータ１は、制御装置４に対して、発光機器２１〜２８のうち、カルテが収納されていた棚に設けられているものを消灯させるよう指令する。この指令を受けた制御装置４は、発光機器２１〜２８のうち、カルテが収納されていた棚に設けられているものを消灯させる。いまの場合、発光機器２３を消灯させる。
【００３１】
以上説明したように、本実施の形態により、保管棚１０からカルテを取り出すとき、発光機器２１〜２８のうち、カルテが収納されている棚に対応するものを発光させるので、取り出すべきカルテが収納されている場所を棚単位で即座に知ることができ、カルテを探し出して取り出すまでの時間を短縮することができる。また、同様に、カルテを収納するとき、発光機器２１〜２８のうち、カルテを収納すべき棚に対応するものを発光させるので、カルテを収納すべき場所を棚単位で即座に知ることができ、カルテを決められた棚に容易に収納することができる。
【００３２】
また、保管棚１０からカルテを取り出すとき、カルテが既に取り出し中であるか否かを即座に知ることができるので、既に取り出されて保管棚１０にはないカルテを探すといった無駄な労力を削減することができる。また、未返却のカルテを容易に把握することができるので、カルテの紛失を抑制することができる。
【００３３】
なお、上記実施の形態においては、カルテを収納するとき、ホストコンピュータ１のキーボード等を操作して患者ＩＤを入力するようにしたが、カルテに貼付されたＲＦＩＤラベル８から患者ＩＤを読み取るようにしてもよい。
【００３４】
また、上記実施の形態においては、仕切板１１ａ〜１４ａにＩＣリーダを設けるようにしたが、さらに仕切板１１ｂ〜１４ｂにもＩＣリーダを設けるようにしてもよい。
【００３５】
また、上記実施の形態の構成および動作は例であって、本発明の趣旨を逸脱しない範囲で適宜変更することができることは言うまでもない。
【図面の簡単な説明】
【００３６】
【図１】本発明の一実施の形態の構成例を示すブロック図である。
【図２】保管棚の構成例を示す図である。
【図３】カルテ管理情報を示す図である。
【図４】カルテ収納時の処理手順を示すフローチャートである。
【図５】カルテ取り出し時の処理手順を示すフローチャートである。
【符号の説明】
【００３７】
１  ホストコンピュータ
２  カードリーダライタ
３  ラベルプリンタ
４  制御装置
５  ＲＦＩＤプリンタ
６  磁気カード（ＭＣカード）
７  カルテ取出ラベル
８  ＲＦＩＤラベル
９  カルテラベル
１０  保管棚
１１ａ〜１４ａ、１１ｂ〜１４ｂ  仕切板
１５，１６  棚板
１７〜２０  収納区画
２１〜２８  発光機器
【図１】
2005234711.tif 000003
【図２】
2005234711.tif 000004
【図３】
2005234711.tif 000005
【図４】
2005234711.tif 000006
【図５】
2005234711.tif 000007